(57)【特許請求の範囲】
【請求項１】
円筒形状の缶胴の内周面を外方に押圧することにより拡開された飲料缶用の缶胴を得る拡開缶胴の製造方法において、
缶胴の周方向に沿って湾曲する押圧面を有する複数の割型工具を収束状態で缶胴内部に挿入した後、各割型工具を放射状に外側へ移動させることにより、各割型工具の押圧面により缶胴の内周面を押圧して缶胴を所定外径に拡開させる第１の拡開成形工程と、
該第１の拡開成形工程により拡開された缶胴の内周面から各割型工具を離反させた後に缶胴の周方向に該缶胴又は各割型工具を回転移動させて、前記第１の拡開成形工程において形成された該缶胴の各割型工具間に対応する拡開痕に割型工具の押圧面を対向させる押圧位置変更工程と、
該押圧位置変更工程により変更された位置で各割型工具を放射状に外側へ移動させることにより、缶胴の内周面における各拡開痕を各割型工具の押圧面により押圧して缶胴を所定外径に拡開させる第２の拡開成形工程とを備え、
前記各割型工具の押圧面は、缶胴の周方向に対応する長さ寸法が、前記第１の拡開成形工程において缶胴を所定外径に拡開させたときの各割型工具間の間隔寸法よりも大であり、
前記各割型工具の押圧面は、その曲率半径が、所定外径に拡開されたときの缶胴の内周面の曲率半径と同じとされており、
前記各割型工具の押圧面における周方向の両側縁は、曲面による面取りが施されていることを特徴とする拡開缶胴の製造方法。
【請求項２】
前記押圧位置変更工程においては、前記割型工具の押圧面の中央位置に前記缶胴の拡開痕を対向させることを特徴とする請求項１記載の拡開缶胴の製造方法。
【発明の詳細な説明】
【技術分野】
【０００１】
本発明は、円筒形状の缶胴をその内周面側から押圧することにより所定外径に拡開させた缶胴を得る拡開缶胴の製造方法に関する。
【背景技術】
【０００２】
飲料缶等の缶胴を製造するとき、円筒形状の缶胴をその内周面側から押圧することにより拡開させて所定外径の缶胴を得る方法が知られている（例えば、下記特許文献１参照）。この種の方法においては、缶胴内部に収束状態で挿入した複数の割型工具を缶胴内部で放射状に外側へ移動させ、各割型工具の外側面に備えた缶胴の周方向に沿って湾曲する押圧面で、缶胴の内周面を外方に押圧することにより所定の外径に拡開させる。しかし、この方法によると、放射状に移動させた各割型工具間に隙間が生じるため、拡開された缶胴には、この隙間に対応する筋状の痕（以下、拡開痕という）が生じる。
【０００３】
そこで、前記拡開痕の発生を防止して滑らかな外表面の缶胴を得るために、放射状に移動させたときの各割型工具の押圧面の外接円よりも小さい曲率半径とされた押圧面を有する割型工具を用いて缶胴を拡開させるようにしたものが知られている（下記特許文献２参照）。
【先行技術文献】
【特許文献】
【０００４】
【特許文献１】特公昭５４−６９８７号公報
【特許文献２】特開平１０−８５８７４号公報
【発明の概要】
【発明が解決しようとする課題】
【０００５】
しかし、各割型工具の押圧面の曲率半径を上記特許文献２のように設定しても、各割型工具を放射状に移動させる以上、缶胴内面を押圧する際の各割型工具間には隙間が生じる。このため、拡開缶胴において各割型工具間の隙間に対応する拡開痕の発生を十分に抑えることはできない。
【０００６】
上記の点に鑑み、本発明は、複数の割型工具を用いて滑らかな外表面の拡開缶胴を得ることができる拡開缶胴の製造方法を提供することを目的とする。
【課題を解決するための手段】
【０００７】
かかる目的を達成するために、本発明は、 円筒形状の缶胴の内周面を外方に押圧することにより拡開された飲料缶用の缶胴を得る拡開缶胴の製造方法において、缶胴の周方向に沿って湾曲する押圧面を有する複数の割型工具を収束状態で缶胴内部に挿入した後、各割型工具を放射状に外側へ移動させることにより、各割型工具の押圧面により缶胴の内周面を押圧して缶胴を所定外径に拡開させる第１の拡開成形工程と、該第１の拡開成形工程により拡開された缶胴の内周面から各割型工具を離反させた後に缶胴の周方向に該缶胴又は各割型工具を回転移動させて、前記第１の拡開成形工程において形成された該缶胴の各割型工具間に対応する拡開痕に割型工具の押圧面を対向させる押圧位置変更工程と、該押圧位置変更工程により変更された位置で各割型工具を放射状に外側へ移動させることにより、缶胴の内周面における各拡開痕を各割型工具の押圧面により押圧して缶胴を所定外径に拡開させる第２の拡開成形工程とを備え、前記各割型工具の押圧面は、缶胴の周方向に対応する長さ寸法が、前記第１の拡開成形工程において缶胴を所定外径に拡開させたときの各割型工具間の間隔寸法よりも大であり、前記各割型工具の押圧面は、その曲率半径が、所定外径に拡開されたときの缶胴の内周面の曲率半径と同じとされており、前記各割型工具の押圧面における周方向の両側縁は、曲面による面取りが施されていることを特徴とする。
【０００８】
本発明の方法によれば、先ず、前記第１の拡開成形工程により、各割型工具を放射状に外側へ移動させて缶胴を所定の外径に拡開させる。続いて、前記押圧位置変更工程により、缶胴又は各割型工具を回転移動させる。これにより、各割型工具の押圧面による缶胴の内周面に対する押圧位置を変更する。次いで、前記第１の拡開成形工程により、各割型工具を放射状に外側へ移動させて缶胴を所定の外径に拡開させる。
【０００９】
前記第１の拡開成形工程においては、放射状に外側へ移動させた各割型工具の押圧面により缶胴の内周面を押圧するので、周方向に広がったときに生じる各割型工具間の隙間に対応して、缶胴には各押圧面の両側縁に沿った筋状の拡開痕が生じる。本発明は、これに続く前記押圧位置変更工程及び第２の拡開成形工程を設けたことにより、前記第１の拡開成形工程により形成された拡開痕を延ばして消すことができる。
【００１０】
即ち、前記押圧位置変更工程により、各割型工具の押圧面を缶胴の拡開痕に対向させ、この状態で、前記第２の拡開成形工程により各割型工具の押圧面が缶胴の拡開痕を押圧する。このとき、缶胴の拡開痕が形成された部分が、各割型工具の押圧面により押圧を受けて、押圧面に沿って周方向に引き伸ばされる。これにより、缶胴の拡開痕が延びて外表面が滑らかな拡開缶胴を得ることができる。
【００１１】
また、前記各割型工具の押圧面の缶胴の周方向に対応する長さ寸法が、前記第１の拡開成形工程において缶胴を所定外径に拡開させたときの各割型工具間の間隔寸法よりも大であるので、前記押圧位置変更工程において缶胴と各割型工具の押圧面との相対的な回転角度を比較的小として迅速且つ確実に押圧面と拡開痕とを対向させることができる。
また、本発明のように各割型工具の押圧面の曲率半径を設定することにより、第１の拡開成形工程において拡開痕を目立たない形状に形成でき、第２の拡開成形工程において拡開痕を容易に延ばして消すことができる。
また、前記各割型工具の押圧面における周方向の両側縁に、曲面による面取りを施すことにより、第１の拡開成形工程において缶胴に発生する拡開痕が角張ることを緩和して拡開痕を目立たない形状に形成でき、第２の拡開成形工程において拡開痕を容易に延ばして消すことができる。
【００１２】
また、本発明の前記押圧位置変更工程においては、前記割型工具の押圧面の中央位置に前記缶胴の拡開痕を対向させることをが好ましい。これにれば、押圧面が拡開痕を引き延ばすときに拡開痕を介して周方向の両側に向って拡開痕をバランス良く引き延ばすことができ、拡開痕を効率良く延ばして消すことができる。
【図面の簡単な説明】
【００１７】
【図１】本発明の実施形態で用いる装置の概略構成を示す説明的断面図。
【図２】割型工具の配列状態を模式的に示す説明図。
【図３】割型工具の斜視図。
【図４】柱状部材の斜視図。
【図５】割型工具の一部を拡大して示す説明的断面図。
【図６】本実施形態における各工程を示すブロック図。
【図７】本実施形態の各工程における割型工具と缶胴の状態を模式的に示す説明図。
【発明を実施するための形態】
【００１８】
本実施形態においては、図１（ａ）及び（ｂ）に示すように、缶胴１の内部に挿入して缶胴１を所定外径まで拡開させる金型装置２が用いられる。金型装置２は、図２（ａ）及び（ｂ）に模式的に示すように、円周状に配列された複数（本実施形態では１２個）の同一形状の割型工具３を備えている。各割型工具３は、図３に示すように、缶胴１の高さ寸法に対応する長さを有し、その外側面には缶胴１の内周面に当接する押圧面４が形成されている。
【００１９】
図１（ａ）及び（ｂ）に示すように、各割型工具３の内側には、柱状部材５が設けられている。柱状部材５は、図４に示すように、下方に向って次第に縮径する形状とされ、その外周にテーパ面６が形成されている。各割型工具３の内側には、図１（ａ）及び（ｂ）に示すように、柱状部材５のテーパ面６に対応する傾斜面７が形成されている。
【００２０】
割型工具３には、図３に示すように、その上端部と下端部とに溝部８が形成されている。この溝部８には、図１（ａ）及び（ｂ）に示すように、リング状のばね部材９が装着されている。ばね部材９は、各割型工具３を収束させる向に付勢する。
【００２１】
柱状部材５は図示しない昇降手段により上下方向に昇降移動される。柱状部材５が下方に移動すると、そのテーパ面６が各割型工具３の傾斜面７に沿って移動し、ばね部材９の付勢に抗して各割型工具３を水平方向外側に移動させる。これにより、各割型工具３は、放射状に外側へ移動し、図２（ｂ）に示すように互いに隣り合う割型工具３同士が周方向に離れて拡開した状態とされる。逆に、柱状部材５が上方に移動すると、そのテーパ面６が各割型工具３の傾斜面７に沿って移動し、ばね部材９の付勢によって図２（ａ）に示すように収束状態とされる。
【００２２】
割型工具３の押圧面４は、缶胴１の周方向に沿った形状に湾曲しており、缶胴１の周方向に対応する長さ寸法が、図２（ｂ）に示す拡開状態での各割型工具３間の間隔寸法よりも大となるように形成されている。
【００２３】
割型工具３の押圧面４の曲率半径は、所定外径に拡開されたときの缶胴１（最終形状の缶胴１）の内周面と同じ曲率半径に形成されている。更に、図５に示すように、押圧面４の両端には、曲面による面取り１０が施されている。
【００２４】
また、柱状部材５は、図示しない回転駆動手段により、その軸線周りに回転駆動される。柱状部材５の外周には各割型工具３がばね部材９の付勢により圧接された状態とされているため、柱状部材５の回転に伴い各割型工具３も回転する。
【００２５】
次に、以上の構成による金型装置２を用いて、缶胴１を所定外径まで拡開させる方法を説明する。本実施形態においては、図６に示すように、未加工の缶胴１に対し、第１の拡開成形工程１１と、押圧位置変更工程１２と、第２の拡開成形工程１３とを順次行うことにより、所定の外径まで拡開させた缶胴１を得る。
【００２６】
第１の拡開成形工程１１においては、先ず、図１（ａ）及び図７（ａ）に示すように、未加工の缶胴１の内部に収束状態の各割型工具３を挿入する。次いで、図１（ｂ）及び図７（ｂ）に示すように、柱状部材５を下方に移動させ、各割型工具３を放射状に移動させる。これにより、各割型工具３が缶胴１をその内側から押し広げ、缶胴１が拡開成形される。缶胴１に対する各割型工具３の押圧力は、その押圧力を解除した際の缶胴１のスプリングバックを考慮して設定される。
【００２７】
このとき、各割型工具３間の隙間に対応する位置の缶胴１には、拡開痕１４が発生する。この拡開痕１４は各割型工具３による押圧を解除しても缶胴１に残り、缶胴１の外観を低下させる。
【００２８】
そこで、続いて、押圧位置変更工程１２を行う。押圧位置変更工程１２においては、先ず、図７（ｃ）に示すように、各割型工具３を収束方向に移動させて、押圧面４を缶胴１の内周面から離反させる。次いで、図７（ｄ）に示すように、各割型工具３を缶胴１の周方向に回転移動させる。このとき、缶胴１に生じている拡開痕１４が割型工具３の押圧面４の中央部に対向するまで割型工具３を回転移動させる。本実施形態のように、割型工具３が１２個である場合には、缶胴１に対して回転角度が１５°となるように割型工具３を回転させればよい。
【００２９】
そして、第２の拡開成形工程１３を行う。第２の拡開成形工程１３においては、図７（ｄ）に示すように、割型工具３の押圧面４と缶胴１の拡開痕１４とが対向した状態で、図７（ｅ）に示すように、各割型工具３を放射状に移動させ、その押圧面４によって缶胴１を所定の外径となるまで拡開させる。このとき、押圧面４は拡開痕１４を引き延ばすようにして缶胴１を拡開させるので、拡開痕１４が延ばし消され、図７（ｆ）に示すように、各割型工具３による押圧を解除したときには、缶胴１の外表面が滑らかに形成される。
【００３０】
その後、収束させた状態の割型工具３から取り出した缶胴１の端部には、ネックイン加工やフレンジ加工が施される。
【００３１】
以上のように、第１の拡開成形工程１１に続いて、押圧位置変更工程１２と第２の拡開成形工程１３とを設けたことにより、拡開痕１４を延ばし消して外表面が滑らかな拡開缶胴１を得ることができる。
【００３２】
また、本実施形態においては、割型工具３の押圧面４と、最終形状の缶胴１の内周面とを同じ曲率半径に設定したことにより、第１の拡開成形工程１１において拡開痕１４を目立たない形状に形成でき、第２の拡開成形工程１３において拡開痕１４を容易に延ばして消すことができる。
【００３３】
また、本実施形態においては、割型工具３の押圧面４の両側に曲面による面取り１０を設けたものを用いた。当該面取り１０を設けておけば、第１の拡開成形工程１１において拡開痕１４が角張って形成されるのを緩和することができ、第２の拡開成形工程１３により確実に拡開痕１４を解消させることができる。
【００３４】
また、本実施形態においては、所謂３ピース缶体に用いられる両端が開放された筒状の缶胴１を拡開させたが、それ以外に、図示しないが、所謂２ピース缶体に用いられる有底筒状の缶胴に対しても、同様に拡開させることができる。
【００３５】
また、本実施形態の押圧位置変更工程においては、缶胴１に対して割型工具３を回転移動させるようにしているが、割型工具３に対して缶胴１をその周方向に回転させるようにしてもよい。
【００３６】
また、本実施形態においては、第１の拡開成形工程１１の後に、押圧位置変更工程１２及び第２の拡開成形工程１３を各１回行うようにしたが、所望により押圧位置変更工程１２及び第２の拡開成形工程１３を複数回繰り返してもよい。
【符号の説明】
【００３７】
１…缶胴、３…割型工具、４…押圧面、１０…面取り、１１…第１の拡開成形工程、１２…押圧位置変更工程、１４…拡開痕、１３…第２の拡開成形工程。
【図１】
0005802452.tif 000002
【図２】
0005802452.tif 000003
【図３】
0005802452.tif 000004
【図４】
0005802452.tif 000005
【図５】
0005802452.tif 000006
【図６】
0005802452.tif 000007
【図７】
0005802452.tif 000008